(57)【特許請求の範囲】
【請求項１】
操作部と接点部が分離可能に構成された分離型操作スイッチにおいて、
前記接点部に分離可能に結合されたベース部を設け、
このベース部の前記接点部の結合された端部と反対側の端部に前記操作部を結合するための結合部を設け、
この結合部に、内周にロック片を有し、回転可能に配置されたリング状のロック部材と、このロック部材が予め定めたロック位置に位置するようにこれを付勢するロックばねとを設け、前記操作部の前記ベース部の結合部への挿入操作に連動して前記ロック部材を前記ロックばねのばね力に抗して前記ロック位置と反対方向に回動させ、前記操作部が結合位置に達したところで、前記ロックばねのばね力により前記ロック部材をロック位置に戻して前記ロック片を前記操作部に設けたロック溝に嵌合して前記ベース部と前記操作部との結合を固定するようになっており、
前記ベース部の前記接点部との結合部は、それぞれ開閉接点機構を備えた接点ユニットを複数個並列に分離可能に結合することが可能に構成され、
前記ベース部に、上下動可能に支持された押圧体を設け、
前記操作部に前記ベース部及び前記接点部が結合された状態で、前記開閉接点機構が前記押圧体を前記操作部の方向に付勢するとともに、
前記操作部が操作されることにより、前記押圧体が前記接点部の方向に移動し前記開閉接点機構に作用して接点の開閉が行われることを特徴とする分離型操作スイッチ。
【請求項２】
前記ベース部のロック部材に、その外周に突出するロック解除操作レバーを一体に形成することを特徴とする請求項１に記載の分離型操作スイッチ。
【請求項３】
前記ベース部の前記ロック部材のロック位置に、前記ベース部から突出して前記ロック解除操作レバーを係止するストッパを設け、このストッパの突出長さを、前記ロック解除操作レバーよりわずかに長くすることを特徴とする請求項２に記載の分離型操作スイッチ。
【請求項４】
前記操作部の前記ベース部への挿入部の外周に縦方向に前記ロック部材のロック片を案内する結合溝を設け、この結合溝の内壁に上下方向に傾斜を有する突起とこの突起の上端に前記結合溝に連なるロック片係合用のロック溝を形成することを特徴とする請求項１〜３のいずれか１項に記載の分離型操作スイッチ。
【請求項５】
前記各接点ユニットは、直列に他の接点ユニットを連結可能とすることを特徴とする請求項１〜４のいずれか１項に記載の分離型操作スイッチ。
【請求項６】
ｂ接点（常閉接点）構成の開閉接点機構を有する前記接点ユニットは、この接点ユニットの結合されたベース部が前記操作部から分離されたとき、および前記接点ユニットが前記ベース部または他の接点ユニットから分離されたとき、接点を開放する機構を備えることを特徴とする請求項１〜５のいずれか１項に記載の分離型操作スイッチ。
【請求項７】
前記各接点ユニットの端子部の端子ねじは、保持スプリングを介して端子ねじホルダにより保持する請求項１〜６のいずれか１項に記載の分離型操作スイッチ。
【発明の詳細な説明】
【技術分野】
【０００１】
この発明は、分離された接点部と、この接点部の開閉を操作する操作部とを結合して使用する分離型の操作スイッチに関する。
【背景技術】
【０００２】
従来から、分離して構成された操作部と接点部とを連結し、これらをロック機構により相互に結合をロック（固定）するようにした分離型の操作スイッチがあり、その例が特許文献１に示されている。
【０００３】
この特許文献１に記載された操作スイッチは、図１２および図１３に示すように、押釦などを有する操作部２０１と、接点部２０２を備える。接点部２０２は、ロックレバー２０４を備える。操作部２０１を、取付パネル１０１の取付穴に取付パネル表面側から嵌め込み、取付パネル裏面側から固定ナット２０３をねじ込むことによって取付パネル１０１に固定する。次いで、操作部２０１の嵌合位置に合わせて接点部２０２を嵌合し、定位置まで挿入した上で、ロック機構のロックレバー２０４をロック位置に回動操作することにより、接点部２０２と操作部２０１との結合をロック（固定）する。
【０００４】
ロック機構は、図１４（Ａ）および（Ｂ）に示すように、接点部２０１に設けたロックレバー２０４を人手により、ロック解除位置（Ａ）からロック位置（Ｂ）に回動操作することにより、ロック部材２０５が回転し、このロック部材２０５に設けられたロック片２５１が操作部２０１に設けられたロック溝２１１ｄ（図１２参照）に嵌まり込むことにより、接点部２０２と操作部２０１との結合を固定し、操作部２０１から操作部２０２が抜け落ちるのを防止する構成となっている。
【０００５】
このように操作部２０１と接点部２０２を結合した分離型操作スイッチを取付パネルに取り付けて使用している状態において、ロックレバー２０４が不用意な操作によりロック解除位置に動かされたり、操作部２０１と接点部２０２とを結合する際に、ロックレバー２０４のロック位置への回動操作を忘れたりする場合がある。
【０００６】
このような場合は、操作部２０１と接点部２０２との結合のロックが解除されているため、操作部２０１の押釦を押圧操作したとき、接点部２０２が操作部からの押圧力により操作部２０１から抜け落ちることがある。
【０００７】
このような分離型操作スイッチにおいて、ロックレバーの不用意な誤った操作等により接点部２０２が操作部２０１からに抜け落ちる事故が発生すると、接点部２０２のｂ接点（常閉接点）構成の接点ユニットは、閉じたままとなり、電気回路に誤動作を発生させる危険がある。
【０００８】
前記のような分離型操作スイッチにおける接点部の抜抜け落ち事故の発生を防止する目的で、ロックレバーのロック操作忘れや、不用意なロック解除を回避するために、特許文献２では、図１５に示すように、ロックレバー固定具２３０を設けることが提案されている。
【０００９】
図１５において、（Ａ）は、ロックレバー固定具２３０を取り付ける前の分離型の操作スイッチの接点部２０２を示し、（Ｂ）は、ロックレバー固定具２３０を取り付けた状態の分離型の操作スイッチの接点部２０２を示す。
【００１０】
接点部２０２をここには図示しない操作部２０１に結合した状態で、ロックレバー２０４を図示するように左側に回動操作すると、ロック部材２０５が回動し、ロック片２５１が操作部２０１のロック溝２１１ｄ（図１２参照）に嵌まり込んで結合状態がロック（固定）される。この状態が図１５の（Ａ）であり、ロックレバー固定具２３０は、まだ、ロックレバー２０４に取り付けられていない。この状態では、ロックレバー２０４が露出しているので、不用意に手が触れたりして、ロック解除位置に回動操作される恐れがある。
【００１１】
ここで、ロックレバー固定具２３０をロックレバー２０４に上から嵌合して、接点部２０２に設けたガイド溝２４０内に押し込み、ロックレバー２０４に取り付けると、ロックレバー２０４が、このロックレバー固定具２３０によって固定される。
【００１２】
これにより、ロックレバー２０４に誤って触れても、回動が阻止されるので、不用意に操作部と接点部との結合のロックが解除されることが防止される。
【先行技術文献】
【特許文献】
【００１３】
【特許文献１】特開２００３-３０８７５６号公報
【特許文献２】特開平１０−２２８８３５号公報
【特許文献２】特開２００３-３２３８２８号公報
【発明の概要】
【発明が解決しようとする課題】
【００１４】
前記したように従来の分離型の操作スイッチおいては、操作部と接点部の結合を固定（ロック）するためには、ロックレバーをロック位置に回動操作する必要があり、また、両部の結合の固定が不用意に解除されることを防止するためには、ロックレバーに予め用意されたロックレバー固定具を装着する必要がある。
【００１５】
このため、このような従来の分離型操作スイッチにおいては、操作部と接点部とを結合した後、ロックレバーのロック位置への回動操作を忘れたり、ロックレバーへのロックレバー固定具の装着を忘れたりすることにより、操作部と接点部との結合の固定（ロック）が行われなかったり、誤って解除されたりすることによって、操作スイッチの操作中に操作部から接点部が抜け落ちる事故に至るという問題がある。
【００１６】
このような問題を解決するため、この発明は、操作部に接点部を結合したとき自動的に結合の固定（ロック）が行われ、ロックレバーの不用意なロック解除操作が行われ難くした分離型操作スイッチを提供することを課題とする。
【課題を解決するための手段】
【００１７】
前記の課題を解決するため、この発明は、操作部と接点部が分離可能に構成された分離型操作スイッチにおいて、
前記接点部に分離可能に結合されたベース部を設け、このベース部の前記接点部の結合された端部と反対側の端部に前記操作部を結合するための結合部を設け、この結合部に、内周にロック片を有し、回転可能に配置されたリング状のロック部材と、このロック部材が予め定めたロック位置に位置するようにこれを付勢するロックばねとを設け、前記操作部の前記ベース部の結合部への挿入操作に連動して前記ロック部材を前記ロックばねのばね力に抗して前記ロック位置と反対方向に回動させ、前記操作部が結合位置に達したところで、前記ロックばねのばね力により前記ロック部材をロック位置に戻して前記ロック片を前記操作部に設けたロック溝に嵌合して前記ベース部と前記操作部との結合を固定するようになっており、前記ベース部の前記接点部との結合部は、それぞれ開閉接点機構を備えた接点ユニットを複数個並列に分離可能に結合することが可能な構成され、前記ベース部の前記接点部との結合部は、それぞれ開閉接点機構を備えた接点ユニットを複数個並列に分離可能に結合することが可能に構成され、前記ベース部に、上下動可能に支持された押圧体を設け、前記操作部に前記ベース部及び前記接点部が結合された状態で、前記開閉接点機構が前記押圧体を前記操作部の方向に付勢するとともに、前記操作部が操作されることにより、前記押圧体が前記接点部の方向に移動し前記開閉接点機構に作用して接点の開閉が行われることを特徴とする（請求項１の発明）。
【００１８】
請求項１の発明においては、前記ベース部のロック部材に、その外周に突出するロック解除操作レバーを形成することができる（請求項２の発明）。
【００１９】
請求項２の発明においては、前記ベース部の前記ロック部材のロック位置に、前記ベース部から突出して前記ロック解除操作レバーを係止するストッパを設け、ストッパの突出長さを、前記ロック解除操作レバーよりわずかに長くするのがよい（請求項３の発明）。
【００２０】
請求項１〜３の発明においては、前記操作部の前記ベース部への挿入部の外周に縦方向に前記ロック部材のロック片を案内する結合溝を設け、この結合溝の内壁に上下方向に傾斜を有する突起とこの突起の上端に前記結合溝に連なるロック片係合用のロック溝を形成するのがよい（請求項４の発明）。
【００２１】
前記請求項１〜４の発明においては、前記各接点ユニットは、直列に他の接点ユニットを連結可能とすることができる（請求項５の発明）。
【００２２】
さらに、請求項１〜５の発明において、ｂ接点（常閉接点）構成の開閉接点機構を有する前記接点ユニットは、この接点ユニットの結合されたベース部が前記操作部から分離されたとき、および前記接点ユニットが前記ベース部または他の接点ユニットから分離されたとき、接点を開放する機構を備えることができる（請求項６の発明）。
【００２３】
さらにまた、前記請求項１〜６の発明においては、前記各接点ユニットは、端子部の端子ねじを保持スプリングを介して端子ねじホルダにより保持することができる（請求項７の発明）。
【発明の効果】
【００２４】
この発明によれば、接点部の結合されるベース部の操作部との結合部に回転可能に設けられたロック部材をロックばねより予め定めたロック位置に付勢しておき、操作部をベース部の結合部に挿入、結合する際、ロック部材を操作部の挿入に連動してロックばねの付勢方向と反対方向に回動させ、操作部が結合位置まで挿入されてところで、ロック部材をロック位置方向へ戻してロック部材のロック片を操作部のロック溝に係合させることにより、操作部材とベース部材との結合を固定（ロック）するので、結合の固定を操作部の結合操作により自動的に行うことができる。
【００２５】
このため、操作部とベース部を介して結合された接点部との結合の固定（ロック）が失念されることがなく、確実に結合が行われる。よって、使用中に接点部が操作部から抜け落ちる事故の発生を防止することができる。
【００２６】
また、ロック部材に突出形成されたロック解除操作レバーは、ベース部に形成した係止片によってロック解除方向の操作が抑止されるので、外部からの接触等による不用意なロック解除を阻止することができる。
【図面の簡単な説明】
【００２７】
【図１】この発明の分離型の操作スイッチの第１の実施例の外観を示す斜視図。
【図２】この発明の分離型の操作スイッチの第１の実施例の構成を分解して示す斜視図。
【図３】この発明の分離型の操作スイッチの第１の実施例の構成を分解して示す縦断面図。
【図４】この発明の分離型の操作スイッチに使用するベース部の構成を分解して示す斜視図。
【図５】この発明の分離型の操作スイッチの接点部を構成する接点ユニットの構成を分解して示す斜視図。
【図６】この発明の分離型の操作スイッチにおけるベース部と操作部との結合、ロック動作の説明図。
【図７】この発明の分離型の操作スイッチの操作の説明図。
【図８】この発明の分離型の操作スイッチにおける操作部から接点部が分離した状態を示す縦断面図。
【図９】この発明の分離型の操作スイッチにおける操作部からベース部、接点部が分離した状態を示す縦断面図。
【図１０】この発明の分離型の操作スイッチの第２の実施例の構成を示すもので、（Ａ）は斜視図、（Ｂ）は縦断面図。
【図１１】この発明の分離型の操作スイッチの第３の実施例の構成を示すもので、（Ａ）は端子ねじの締め付け前の状態を示す縦断面図、（Ｂ）は端子ねじの締め付け状態を示す縦断面図。
【図１２】従来の分離型の操作スイッチの分離状態を示す斜視図。
【図１３】従来の分離型の操作スイッチの結合状態を示す側面図。
【図１４】従来の分離型の操作スイッチのロック機構の構成を模式的に示す図。
【図１５】従来の分離型の操作スイッチのロックレバー固定具を備えたロック機構の例を示すもので、（Ａ）はロックレバー固定具を取り付ける前の要部の正面図、（Ｂ）はロックレバー固定具を取り付け状態の要部の正面図。
【発明を実施するための最良の形態】
【００２８】
この発明の実施の形態を図に示す実施例に基づいて説明する。
【実施例１】
【００２９】
図１〜図４に、この発明の分離型の操作スイッチの第１の実施例を示す。図１は、この発明による操作スイッチの結合状態の構成を示す斜視図であり、図２および図３はスイッチの分離状態の構成を示す斜視図および縦断面である。そして図４は、この発明に使用する連結用のベース部２を分解して示す斜視図である。
【００３０】
操作スイッチ１００は、図２および図３に示すように分離可能にした操作部１、ベース部２および接点部３を備える。
【００３１】
操作部１は、接点部３の接点を開閉操作するもので、操作部本体１１、押釦１２および取り付けナット１３を備える。
【００３２】
操作部本体１１は、筒状をなし、この中に、嵌入された押釦１２は、復帰ばね１４を介してこの操作部本体１により押し込み可能に支持される。操作部本体１１の胴部１１ａの外周の基端側にねじ１１ｇが設けられている。このねじ１１ｇに固定ナット１３をねじ込んで、操作部１を取付パネル等に固定する。押釦１２は、一体的に胴部１１ａ内に伸びた操作軸１２ａを備える。
【００３３】
また、操作部本体の胴部１１の外周には、連結用のベース部２と結合するための結合溝１１ｂが適宜の間隔で複数個設けられている。この結合溝１１ｂ内には、内壁に設けた傾斜を有する突起１１ｃによってベース部２の係合片を係合するロック溝１１ｄが形成される（図２参照）。
【００３４】
連結用のベース部２は、操作部１と接点部３との間に介在し、両者を結合するものである。
【００３５】
このベース部２は、図３および図４に示すように、ベース本体２２とこれに被せるベースカバー２１とを備える。カバー２１は、は中心部に操作部１の本体１１を結合するための結合孔２１ａ、対抗する側面にベース本体２２の係合爪２２ｂを係合するための係合孔２１ｂおよびロックリング２３のロック解除操作片２３ｂをロック位置で係止するストッパ２１ｃを備える。
【００３６】
ベース本体２２上には、ロックリング２３が回転可能に配置され、このロックリングと２３とベース本体２１との間にロックリング２３をロック位置側に付勢するロックばね２４に設ける。ロックリング２３ｃは、このロックばね２４によって操作片２３ｂがカバー２１のストッパ２１ｂに当たるまで回動されてロック位置に置かれる。ロックリング２３の操作片２３ｂには、指での操作が困難とき、ドライバー等の工具を挿入して操作できるようするための操作孔２３が設けられている。
【００３７】
ロックリング２３の内周には、操作部１の係合溝１１ｄと対応して、適宜の間隔で複数の係止片２３ａが設けられる。
【００３８】
ベース部２には、さらに、後述する接点部３の接点開放レバー３５を押圧するための押圧体２５が設けられている。この押圧体２５は、中心部に開口２５ａを有し、対角上の２隅に設けた係合片２５ｃを、ベース本体２２の係合溝２２ｄにその下方から挿入することによって、ベース部２２内に上下動可能に係合する。
【００３９】
接点部３は、内部に開閉接点機構を備えた少なくとも１個の接点ユニット３Ｕで構成され、ベース部２の下端側に結合し、このベース部２の上端側を操作部１の下端側に結合される。ここでは、３個の接点ユニット３Ｕを、ベース部２を介して操作部１に結合した例を示している。
【００４０】
接点部３の１個以上の接点ユニット３Ｕを備える。接点ユニット３Ｕは、ａ接点（常開接点）構成の開閉接点機構を有するものと、ｂ接点（常閉接点）構成の開閉接点機構を有するものとがある。
【００４１】
ここではｂ接点構成を有する接点ユニット３Ｕを使用した例を示し、図３および図５にその構成を示す。
【００４２】
この接点ユニット３Ｕは、接点ケース３１と接点フレーム３２を備える。接点フレーム３２には、可動接点３４ａを有する可動接触子３４を保持した可動接点ホルダ３３が挿入され、この接点フレーム３２が可動接点ホルダ３３を上下動可能に支持する。
【００４３】
さらに、接点フレーム３２は、ベース部２に結合するための１対の結合片３２ａを備えるとともに、可動接点ホルダ３３を１対の接点開放レバー３５を支持ピン３５ａおよび付勢ばね３５ｂを介して回動可能に支持する。接点開放レバー３５は、可動接点ホルダ３３の肩部３３ｂに接触して付勢ばね３５ｂの付勢力により回動されて、その一端で可動接点ホルダ３３を押下方向に付勢する。
【００４４】
接点ケース３１には、その左右両端に、１対の固定接触子３７が固定支持される。この固定接触子３７は、一端に可動接点３４ａと対向して固定接点３７ａを備え、他端に外部接続用ねじ端子３７ｂを備える。そして、接点ケース３１の固定接触子３７のねじ端子３７ｂと対向する位置に、保持ばね３８ａを介して端子ねじ３８を保持した端子ねじホルダ３８ｂが凹凸嵌合により結合される。
【００４５】
可動接点ホルダ３３を支持した接点フレーム３２は、可動接点ホルダ３３を復帰方向（押上方向）に付勢する付勢ばね３６を介して接点ケース３１に挿入され、これによって支持される。
【００４６】
接点ユニット３Ｕは、ベース部２から分離した状態では、図３に示すように、接点開放レバー３５が開放ばね３５ｂにより可動接点ホルダ３３を押し下げる方向に付勢されることにより、可動接点ホルダ３３が押し下げられ、可動接点３４ａが固定接触子３７の固定接点３７ａから離間するので、ｂ接点構成の開閉接点機構が開放される。
【００４７】
このように分離構成された操作部１、ベース部２および接点部３を相互に結合して図１に示すような操作スイッチ１００が構成される。
【００４８】
操作スイッチ１００を構成する際、予め接点部３をベース部２に結合し、この接点部３の結合されたベース部２を操作部１に結合する場合と、操作部１に予めベース部２を結合し、この操作部１に結合されたベース部２に接点部３を結合する場合とがあるが、各部相互間の結合は同じであるので、個々の結合について説明する。
【００４９】
まず、ベース部２と接点部３との結合は、接点部３の可動接点ホルダ３３の駆動軸３３ｂおよび結合片３２ａを下方からベース部２内に挿入し、結合片３２ａの先端の係合爪をベース部２の係止部２２ｃに係止することにより行うことができる。この結合状態は、図９の下部を参照されたい。
【００５０】
また、操作部１とベース部２との結合は、図６を参照して説明する。
【００５１】
ベース部２は、操作部１から分離された状態では、ロックリング２３がロックばね２４により付勢されてロック解除操作片２３ｂが、図２に示すようにストッパ２１ｃに当たる位置まで回動しているので、ロックリング２３のロック突起２３ａは、図６（Ａ）に示すようにロック位置Ｒに置かれている。
【００５２】
この状態で操作部１とベース部２との嵌合位置を合わせて、ベース部２の結合孔２１ａを操作部１の下方から操作部１の操作部本体１１の胴部１１ａに嵌め合わせる。これにより、図６（Ａ）の右側に示すように、ベース部２のロックリング２３の内周に設けたロック突起２３ａが操作部１の結合溝１１ｂ内に侵入する。
【００５３】
この状態から、操作部１をベース部２に対して、相対的に図６（Ａ）の矢印ｙ方向に押し込む。この押し込み過程で、ベース部２のロック突起２３ａが、結合溝１１ｂの突起１１ｂの左側に上昇する傾斜面に当たり、この傾斜面によって図６（Ｂ）の矢印ｘで示すように操作部１の結合溝１１ｂ内を相対的に左方向に押されながら上昇する。これによって、ロックリング２３が時計方向に回動し、図６（Ｂ）に示すように、ロック突起２３ａが結合溝１１ｂの突起１１ｃの最上端に至り、ロックリング２３のロック解除操作片２３ｂがストッパ２１ｃの位置から離れて、ロック解除位置Ｕの位置に達する。
【００５４】
引き続き、操作部１をベース部２に対して相対的に図６（Ｃ）に示すように、矢印ｙ方向へ押し込むと、ロック突起２３ａが相対的に突起１１ｃを超えて、結合溝１１ａのロック溝１１ｄまで上昇する。この位置では、突起１１ｃによるロックリング２３の係止が解除されるため、ロックリング２３は、ロックばね２４から加わる復帰力により反時計方向に回動され、操作片２３ｂがストッパ２１ｃに当たるロック位置に戻される。このためロックリング２３のロック突起２３ａがロック溝１１ｄ内に入り込み、操作部１とベース部２との結合が固定（ロック）され、ベース部２が、相対的に操作部１から抜け出ることが阻止される。
【００５５】
このようにして、操作部１、ベース部２および接点部３を相互に結合することによって図１に示すような操作スイッチ１００を構成することができる。
【００５６】
図１の操作スイッチ１００のように操作部１にベース部２および接点部３が結合されると、図７（Ａ）に示すように、ベース部２内の押圧体２５が、操作部１の胴部１１ａの下端によって押し下げられる。これによって、接点部３の接点開放レバー３５の他端が押し下げられ、可動接点ホルダ３３に当接した一端が上昇する。このとき、押釦１２が押込み操作されない復帰位置にあるので、可動接点ホルダ３３が復帰ばね３６によって押上げられて、ｂ接点を構成する可動接触子３４の可動接点３４ａが固定接触子３７の固定接点３７ａに接触し、接点が閉じられる。
【００５７】
ここで、図７（Ｂ）に示すように押釦１２を押込み操作すると、この押釦１２の操作軸１２ａにより、接点部３の可動接点ホルダ３３が押し下げられるので、可動接触子３４の可動接点３４ａが固定接触子３７の固定接点３７ａから離間し、電気回路が開路される。
【００５８】
次に、この発明の操作スイッチ１００が備えるｂ接点構成の接点開閉機構を有する接点ユニットによる電気回路の誤動作を回避するための機能について説明する。
【００５９】
操作スイッチ１００の操作部１に結合されたベース部２から接点部３から抜け落ちた状態を図８に示す。
【００６０】
この場合は、接点部３の接点開放レバー３５とベース部２の押圧体２５との接触が外れることにより、接点開放レバー３５が復帰ばね３５ｂにより可動接点ホルダ３３を押し下げる方向に回動する。これにより、可動接点ホルダ３３が押し下げられ、可動接点３４ａが下がり、固定接点３７ａから離間し、これに接続された電気回路を開路し、この電気回路の動作を停止し、電気回路の暴走を防止する。
【００６１】
また、操作スイッチ１００の操作部１からベース部２とともに接点部３が抜け落ちた状態を図９に示す。
【００６２】
この場合は、ベース部２の押圧体２５に加わる操作部１の操作軸１２ａによる規制がなくなることにより、図９に示すように、接点部３の接点開放レバー３５が復帰ばね３５ｂにより復帰方向に回動されるので、他端で押圧体２５を押し上げ、一端で可動接点ホルダ３３を押し下げる。可動接点ホルダ３３が押し下げられることにより、可動接点３４ａが下がり、固定接点３７ａから離間し、これに接続された電気回路を開路する。
【００６３】
このように、この発明の操作スイッチ１００によれば、操作部１に結合されたベース部２から接点部３が抜け落ちた場合、および操作部１からベース部２が接点部３とともに抜け落ちた場合のいずれの場合でも、ｂ接点構成の接点部３の開閉接点機構を開放することができるので、この操作スイッチ１００によって開閉する電気回路の安全性を高めることができる。
【００６４】
なお、ａ接点構成の接点ユニットの場合は、接点部３が操作部１から抜け落ちた場合は、もともと開閉接点機構は開放されているので、ｂ接点構成の接点ユニットのような特別な構成は要しない。
【実施例２】
【００６５】
図１０にこの発明の第２の実施例を示す。
【００６６】
この第２の実施例は、操作部１に結合されたベース部２に結合される接点部３を、接点ユニットを多段（２段）に結合したものである。
【００６７】
ここでは、操作部１に結合されたベース部２に、１段目の接点ユニット３Ｕ１を３個並列に結合し、さらに、この１段目の接点ユニット３Ｕ１に２段目の接点ユニット３Ｕ２を２個並列に結合している。ここには、図示していないが、２段目の接点ユニット３Ｕ２にさらに３段目の接点ユニット３Ｕ３を結合することもできる。
【００６８】
接点ユニット相互の結合は、図１０（Ｂ）に示すように、それぞれの接点ユニットの接点ケース３１の底部に設けた、結合片３２ａ用の挿入孔３１ｃと、係止段３２ｄとを使用する。２段目の接点ユニット３Ｕ２の結合片３２ａを１段目の接点ユニット３Ｕ１の挿入孔３１ｃから挿入し、２段目の接点ユニット３Ｕ２の結合片３２ａの先端の係止爪を、１段目の接点ユニット３Ｕ１の係止段３１ｄに係止することによって１段目の接点ユニット３Ｕ１に２段目の接点ユニット３Ｕ２を結合する。
【００６９】
操作部１を操作して１段目の接点ユニット３Ｕ１の可動接点ホルダ３３の押し下げると、この動作が、２段目の接点ユニットの可動接点ホルダ３３に直接伝達される構成となっているため、多段に結合された接点ユニットはすべて同時に開閉動作させることができる。
【実施例３】
【００７０】
図１１は、この発明の第３の実施例による端子ねじ部を示すものである。
【００７１】
図１１（Ａ）は、端子ねじ３８を接点部３の固定接触子３７に設けた外部接続用ねじ端子３７ｂに締め付ける前の状態を示し、図１１（Ｂ）は、端子ねじ３８を接点部３の固定接触子３７に設けた外部接続用ねじ端子３７ｂに締め付けた状態を示す。
【００７２】
端子ねじ３８の首部に保持用ばね３８ａの先端の小径部を嵌合し、保持用ばね３８ａの基端側の大径部を端子ねじホルダ３８ｂにより係止保持する。
【００７３】
、端子ねじ３８をねじ端子３７ｂにねじ込み締め付ける際は、図１１（Ｂ）に示すようにこの保持用ばね３８が伸長するので、端子ねじ３８の締め付けが阻害されることはない。そして、端子ねじ３８の締め付けを解くと、保持用ばね３８ｂａは圧縮状態に戻って端子ねじホルダ３８ｂ内に保持し、接点部（接点ユニット）から落下するのを防ぐ。
【符号の説明】
【００７４】
１００：分離型の操作スイッチ
１：操作部
１１：操作部本体
１１ａ：胴部
１１ｂ：結合溝
１１ｃ：突起
１１ｄ：ロック溝
１２：押釦
２：ベース部
２１：ベース本体
２２：ベースカバー
２２ｃ：ストッパ
２３：ロックリング
２３ａ：ロック突起
２３ｂ：ロック解除操作片
２４：復帰ばね
２５：押圧体
３：接点部
３Ｕ：接点ユニット
３１：接点ケース
３２：接点フレーム
３２ａ：結合片
３３：可動接点ホルダ
３４：可動接触子
３４ａ：可動接点
３５：接点開放レバー
３５ｂ：復帰ばね（接点開放レバー用）
３６：復帰ばね（可動接点ホルダ用）
３７：固定接触子
３７ａ：固定接点
３７ｂ：外部接続用ねじ端子
３８：端子ねじ
３８ａ：端子ねじホルダ
３８ｂ：保持ばね
【図１】
0006507812.tif 000002
【図２】
0006507812.tif 000003
【図３】
0006507812.tif 000004
【図４】
0006507812.tif 000005
【図５】
0006507812.tif 000006
【図６】
0006507812.tif 000007
【図７】
0006507812.tif 000008
【図８】
0006507812.tif 000009
【図９】
0006507812.tif 000010
【図１０】
0006507812.tif 000011
【図１１】
0006507812.tif 000012
【図１２】
0006507812.tif 000013
【図１３】
0006507812.tif 000014
【図１４】
0006507812.tif 000015
【図１５】
0006507812.tif 000016